(57)【特許請求の範囲】
【請求項１】
前面板と後面板と左右側面板と天面板と底面板からなる直方体状の紙箱であって、前記天面板は前記前面板の上端にミシン目を介して連接され端縁の中央部に差込片が延設された天面外板と前記後面板の上端に折目を介して連接され略中央部にスリット状の切欠が形成された天面内板とからなり、前記天面外板の前記差込片を前記天面内板の前記切欠に挿入して固定され、前記前面板と左右側面板に連続する切取線が設けられ、前記底面板は自動組立底とされた構成であることを特徴とする展示用紙箱。
【請求項２】
前記切取線が、前記左右側面板の前記後面板側の上端部から前記前面板の側端に達する斜め下方に延びる前記左右側面板にそれぞれ形成された切取線と、前記左右側面板の切取線の端縁間を連結する前記前面板に形成された切取線とにより構成されていることを特徴とする請求項１記載の展示用紙箱。
【請求項３】
前記前面板に設けられた前記切取線が、両端部に所定長さの水平部を有するＵ字状に形成されていることを特徴とする請求項２記載の展示用紙箱。
【発明の詳細な説明】
【０００１】
【発明の属する技術分野】
本発明は、開封して簡単に展示用に組み立てることのできる展示用紙箱に関する。
【０００２】
【従来の技術】
従来、展示用紙箱としては、図５に示すように、後面板１と側面板２と前面板３と側面板４と貼付片５が折罫を介してそれぞれ連接され、後面板１の上端に折罫6bにて２つ折りできるようにされ端部に差込片6aが連接された細長い天面板６が折り曲げ可能に連接され、後面板１と側面板２と前面板３と側面板４の下端にそれぞれ底板片11と底板片12と底板片13と底板片14がそれぞれ連接されたブランク板から作製される細長い長方形状の紙箱であって、展示に際しては天面板６の差込片6aを外して紙箱の天面板６を開き、天面板６の長手方向中央の折罫6bにて２つ折りして差込片6aを左右側面板2,4 の上端に連接されたフラップ7,8 と後面板１の間に差し込んで展示板として使用する構成のものが知られている。しかしながら、上記の構成の展示用紙箱では、展示用紙箱を作製するための図５に示すブランク板の形状が、巾の広い側面板４と前面板３と巾の広い側面板２と後面板１とが折目を介して連接され、後面板１の上端に細長い天面板６が折り曲げ可能に連接されたＬ字形となるため、用紙の取り都合が悪く用紙のロスが大きいという欠点を有している。また、底板片11,12,13,14 を内面側に折り曲げてから側面板４と前面板３間の折罫および側面板２と後面板１間の折罫にて折り曲げて貼付片５を後面板１に接着して製函した状態の折り畳まれた形状もＬ字形となるので輸送・保管中に場所をとる上に、天面板６および差込片6aの部分がとび出した形となっているので、輸送中等に破損が起こりやすい欠点を有していた。
【０００３】
【発明が解決しようとする課題】
本発明の目的は、作製する際の用紙の取り都合がよく、製函した状態で保管、輸送する際の問題がなく、且つ開封して展示用に簡単に組み立てできる展示用紙箱を提供することである。
【０００４】
【課題を解決するための手段】
前面板と後面板と左右側面板と天面板と底面板からなる直方体状の紙箱であって、前記天面板は前記前面板の上端にミシン目を介して連接され端縁の中央部に差込片が延設された天面外板と前記後面板の上端に折目を介して連接され略中央部にスリット状の切欠が形成された天面内板とからなり、前記天面外板の前記差込片を前記天面内板の前記切欠に挿入して固定され、前記前面板と左右側面板に連続する切取線が設けられ、前記底面板は自動組立底とされた構成の展示用紙箱であるので、前面板と左右側面板の上部を切取線に沿って切り取ることにより紙箱の天面を大きく開放することができると共に、端縁の中央部に差込片が延設された天面外板をミシン目にて前面板と切り離し、後面板の内面と重なるように内方に折り込んだ天面内板のスリット状の切欠に、天面外板の差込片を差し込んで展示板とすることにより簡単に展示用に組み立てることができる。また、天面板を天面内板と天面外板とにより構成しているため、ブランク板の形状が突出する部分が少なくＬ字形とならないので用紙の取り都合がよく用紙のロスが少なくなると共に、製函して偏平に折り畳まれた状態の形状においても天面外板および天面内板の部分が突出することがないので、保管、輸送に場所をとらず、且つ取扱時に破損するおそれがなくなる。
【０００５】
上記の展示用紙箱において、前記切取線を、前記左右側面板の前記後面板側の上端部から前記前面板の側端に達する斜め下方に延びる前記左右側面板にそれぞれ形成された切取線と、前記左右側面板の切取線の端縁間を連結する前記前面板に形成された切取線とにより構成することにより、前面板の上部全体と左右側面板の前方上部を斜めに大きく切り取ることができるので、展示用紙箱内に収納されている商品の前面部および側面部を大きく露出させることが可能となり展示効果の優れたものとなる。
【０００６】
上記の展示用紙箱において、前記前面板に設けられた前記切取線を、両端に所定長さの水平部を有するＵ字状に形成することにより、展示用紙箱内に収納されている商品の前面部を大きく露出させられるので展示効果が大となる。
【０００７】
【発明の実施の形態】
以下、図面を引用して本発明の実施の形態を説明する。
図１は本発明の展示用紙箱の実施形態を示す斜視図、図２は実施形態の展開した状態を示す平面図、図３は実施形態の折り畳んだ状態を示す平面図、図４は実施形態の展示用に組み立てる状態を示す斜視図であって、１は後面板、2, 4は側面板、３は前面板、５は貼着片、６は天面内板、８は天面外板、11，12，13，14は底板片、15は切欠、16は差込片、17a, 17b, 18, 19a, 19bは切取線、20はミシン目をそれぞれ表す。
【０００８】
本発明の展示用紙箱の実施形態は、図２に示すブランク板を使用して作製される図１に示すとおりの構成であって、前面板３と側面板2,4 と後面板１と天面板と底面板からなる直方体状の紙箱であって、天面板は前面板３の上端にミシン目20を介して連接され端縁の中央部に差込片16が延設された天面外板８と、後面板１の上端に折目を介して連接され略中央部にスリット状の切欠15が形成された天面内板６とからなり、天面外板８の差込片16を天面内板６の切欠15に差し込むことにより天面板が形成され、底面板は自動組立底とされ、側面板２には切取線17a,17b が前面板３には切取線18が側面板４には切取線19a,19b が連続した状態でそれぞれ設けられた構成である。本実施形態においては、側面板２と折込片７間の折目に沿った所定長さの切取線17b および側面板４と折込片９間の折目に沿った所定長さの切取線19b をそれぞれ設けているが、切取線17b および切取線19b を設けずに、側面板２および側面板４の後面板１側の上角から切取線17ａおよび切取線19ａを形成するようにしてもよい。
【０００９】
実施形態の展示用紙箱の展開したブランク板は、図２に示すように、後面板１と側面板２と前面板３と側面板４と貼着片５が折目を介してそれぞれ連接され、後面板１の上端には略中央部にスリット状の切欠15が形成された天面内板６が下端には底板片11がそれぞれ連接され、側面板２の上端には折込片７が下端には接着片12ａを有する底板片12がそれぞれ連接され、前面板３の上端には端縁中央部に差込片16を備えた天面外板８がミシン目20を介して連接されると共に下端には底板片13が連接され、側面板４の上端には折込片９が下端には接着片14a を有する底板片14がそれぞれ連接され、側面板２には後面板１側の上端縁から所定距離だけ内側に延びる折目に沿った切取線17b と切取線17b の内端から斜め下方に延び前面板３の側端の下方に達する切取線17ａが設けられ、側面板４には貼着片５側の上端縁から所定距離だけ内側に延びる折目に沿った切取線19b と切取線19b の内端から斜め下方に延び前面板３の側端の下方に達する切取線19ａが設けられ、前面板３には切取線17ａと切取線19ａの端部間を連結するように、両端に所定長さの水平部を有するＵ字状の切取線18が設けられている。
【００１０】
図２に示す実施形態のブランク板を、底板片11および底板片13をそれぞれ後面板１の内面および前面板３の内面に重なるように内側に折り曲げると共に、底板片12の接着片12ａおよび底板片14の接着片14ａをそれぞれ底板片11面および底板片13面と重なるように外側に折り曲げた状態で内側に折り曲げ、後面板１と側面板２間の折目および前面板３と側面板４間の折目にて折り曲げて、貼着片５を対向する後面板１に接着すると共に、接着片12ａを対向する底板片11面にまた接着片14ａを対向する底板片13面にそれぞれ接着することにより、図３に示す製函して折り畳まれた状態の展示用紙箱が得られる。この状態で底板片が接着片12ａおよび接着片14ａにて相互に接着されて自動組立底を形成しているので、図３に示す製函して折り畳まれた状態の展示用紙箱を起こすと自動的に底面板が形成される。
【００１１】
図３に示す製函して折り畳まれた状態の展示用紙箱を起こして、内部に商品を収納した後に、折込片7,9 を内側に折り曲げ、次いで天面内板６と天面外板８を順次内側に折り重ねて、天面外板８の差込片16を天面内板６のスリット状の切欠15に差し込むことにより展示用紙箱への商品の包装が完了する。
【００１２】
本発明の展示用紙箱を展示するには、前面板３を切取線18に沿って切り離すと共に、切取線18の両方の端部とそれぞれ連結されている切取線17ａおよび切取線19ａにて側面板２および側面板４を切り離し、最後に切取線17b および切取線19b にて折込片７および折込片９と側面板２および側面板４間を切り離すことにより、前面板３の上部がミシン目20にて天面外板８が連接された状態で切り取られると共に、側面板２および側面板４の前面板３側の上部を斜めに切り取られて、展示用紙箱の天面が開放された状態となる。切り取られた前面板３の上部と天面外板８とをミシン目20にて切り離し、天面内板６を後面板１と重なるように内側に折り曲げ、天面内板６のスリット状の切欠15に天面外板８の差込片16を差し込むことにより展示用の組み立てが完了する。
【００１３】
展示用の組み立てられた状態では、図示しないが、内部に収納されている商品が、切り取られた前面板３の上部および前面板３側の上部が斜めに切り取られた側面板２と側面板４の部分から商品が露出すると共に、天面外板８面に印刷された絵柄を展示に利用することができるものである。商品の露出させる面積は前面側は切取線18の位置によりまた側面側は切取線17b および切取線19b の位置により任意に変えることができる。商品が展示された状態の紙箱から転げ出さない程度に前面板３および側面板2、4 を大きく切り取ることにより展示効果の優れたものとすることができる。
【００１４】
本発明の展示用紙箱を構成する材料としては、板紙、板紙と合成樹脂層の積層体、段ボール等が使用できる。板紙としては２００〜４００ｇ／ｍ2 のものが適当である。段ボールを使用する場合はＥ段ボールが好ましい。板紙と合成樹脂層の積層体の場合は、板紙の表面に印刷により所定の絵柄を設けた後に、印刷面にプラスチックフイルムを接着剤により積層するか、ないしは合成樹脂溶液を印刷面にコーテイングして樹脂層を形成する。板紙の表面に合成樹脂層を形成することにより表面光沢の優れたものとなるので、展示効果の優れた紙箱とすることができる。板紙の表面に積層するフイルムとしては２軸延伸ポリプロピレン、２軸延伸ポリエチレンテレフタレート等が使用され、表面にコーテイングする樹脂としては塩化ビニル−酢酸ビニル共重合体、塩化ビニル−アクリル共重合体等が使用される。
【００１５】
【発明の効果】
前面板と後面板と左右側面板と天面板と底面板からなる直方体状の紙箱であって、天面板は前面板の上端にミシン目を介して連接され端縁の中央部に差込片が延設された天面外板と後面板の上端に折目を介して連接され略中央部にスリット状の切欠が形成された天面内板とからなり、天面外板の差込片を天面内板の切欠に挿入して固定され、前面板と左右側面板には連続する切取線が設けられ、底面板は自動組立底とされた構成の展示用紙箱であるので、前面板と左右側面板の上部を切取線に沿って切り取ることにより紙箱の天面を大きく開くことができると共に、端縁の中央部に差込片が延設された天面外板をミシン目にて切り離し、後面板の内面と重なるように内方に折り込んだ天面内板のスリット状の切欠に、天面外板の差込片を差し込んで展示板とすることにより簡単に展示用に組み立てることができる。また、本展示用紙箱の構成の場合、天面板を天面内板と天面外板とから構成しているため、ブランク板の形状が突出する部分が少なくＬ字形とならないので用紙の取り都合がよく用紙のロスが少なくなると共に、製函して偏平に折り畳まれた状態の形状においても天面外板および天面内板の部分が突出することがないので、保管、輸送に場所をとらず、且つ取扱時に破損するおそれがなくなる。
上記の展示用紙箱において、切取線を、左右側面板の後面板側の上端部から前面板の側端に達する斜め下方に延びる左右側面板にそれぞれ形成された切取線と、左右側面板の切取線の端縁間を連結する前面板に形成された切取線とにより構成することで、前面板の上部全体と左右側面板の前方上部を斜めに大きく切り取ることができるので、展示用紙箱内に収納されている商品の前面部および側面部を大きく露出させることができ展示効果の優れたものとなる。
上記の展示用紙箱において、前面板に設けられた切取線を、両端に所定長さの水平部を有する略Ｕ字状に形成することにより、展示用紙箱内に収納されている商品の前面部を大きく露出させられるので展示効果が大となる。
【図面の簡単な説明】
【図１】本発明の展示用紙箱の実施形態を示す斜視図。
【図２】実施形態の展開した状態を示す平面図。
【図３】実施形態の折り畳んだ状態を示す平面図。
【図４】実施形態の展示用に組み立てる状態を示す斜視図。
【図５】従来品の展開した状態を示す平面図。
【符号の説明】
１  後面板
２，４  側面板
３  前面板
５  貼着片
６  天面内板
８  天面外板
11，12，13，14  底板片
15  切欠
16  差込片
17a, 17b, 18, 19a, 19b  切取線
20  ミシン目
【図１】
0003953609.tif 000002
【図２】
0003953609.tif 000003
【図３】
0003953609.tif 000004
【図４】
0003953609.tif 000005
【図５】
0003953609.tif 000006